(57)【要約】  【課題】  可動パネルの支軸をスライドアームの軸受部に固定する保持片を備えたグリルクランパを設け、スライドアームを前方に駆動して可動パネルを移動し、吸込口を開いた時、可動パネルがグリルクランパから外れないようにした空気調和機を提供する。  【解決手段】  本体１に吸込口2a,2b と吹出口３を設け、これら吸込口と吹出口とを結ぶ空気通路に送風ファンを配設し、前記吸込口の両端側にスライドアーム７と、同スライドアームを駆動する駆動機構とを設け、前記スライドアームに、同スライドアームの移動に伴ない前記吸込口を開閉する可動パネル８を取付けてなる空気調和機において、  前記スライドアームまたは前記可動パネルのいずれか一方に備えた軸受と、他方に備えた支軸とからなる支軸部を設けるとともに、前記軸受側に、同軸受に前記支軸を保持する保持手段を設けた。  【選択図】図5
2007107728.tif 000002
【特許請求の範囲】
【請求項１】
本体に吸込口と吹出口を設け、これら吸込口と吹出口とを結ぶ空気通路に送風ファンを配設し、前記吸込口の両端側にスライドアームと、同スライドアームを駆動する駆動機構とを設け、前記スライドアームに、同スライドアームの移動に伴ない前記吸込口を開閉する可動パネルを取付けてなる空気調和機において、
前記スライドアームまたは前記可動パネルのいずれか一方に備えた軸受と、他方に備えた支軸とからなる支軸部を設けるとともに、前記軸受側に、同軸受に前記支軸を保持する保持手段を設けてなることを特徴とする空気調和機。
【請求項２】
前記軸受に、同軸受に連続して形成された支軸挿入口を設けてなることを特徴とする請求項１に記載の空気調和機。
【発明の詳細な説明】
【技術分野】
【０００１】
本発明は、空気調和機の室内機に係わり、より詳しくは、本体前面の吸込口に前後及び上下方向に開閉する可動パネルを設け、可動パネルを前方へ開き、かつ上下方向に回動し、開閉した状態であっても、スライドアームから可動パネルが容易に外れないようにした構造に関する。
【背景技術】
【０００２】
従来の空気調和機には例えば、図１１及び図１２に示すようものが知られている（例えば、特許文献１参照。）。
図１１及び図１２において、第１開閉機構６３は、第１開閉ギア６３０、第２開閉ギア６３１、第１パネル支持部材６７、第２パネル支持部材６８を有している。また、第１開閉機構６３は、これらのギアおよび部材を収容する第１開閉機構ケーシング６９を有しており、ユニット化されている。
【０００３】
第１開閉ギア６３０は、動力伝達軸（図示せず）の一端に固定され、動力伝達軸を介して伝達される駆動機（図示せず）からの駆動力を第２開閉ギア６３１へと伝達する。
第２開閉ギア６３１は、第１開閉ギア６３０、第１パネル支持部材６７の第１ギア部６７０および第２パネル支持部材６８の第２ギア部６８０と噛み合っており、第１開閉ギア６３０から伝達される駆動力を第１パネル支持部材６７および第２パネル支持部材６８にそれぞれ伝達する。
【０００４】
第１パネル支持部材６７は、第１パネル７１に取り付けられ、第１パネル７１を支持する平坦な板状の部材である。第１パネル支持部材６７は、上下方向に移動可能に設けられており、第１パネル７１を上下方向に直線的に移動させることができる。第１パネル支持部材６７は、上下方向に平行に延びる直線的な形状の直線部分６７１と、直線部分６７１の下部から室内機２の前方へ向けて湾曲する湾曲部分６７２とを有している。そして、湾曲部分６７２の先端は、前面グリル６０の前面に設けられたスリット６０１を通って前面グリル６０の前方へと突出している。この湾曲部分６７２の先端には第１パネル７１の左側端近傍が固定される。また、直線部分６７１には、第１ギア部６７０が設けられている。第１ギア部６７０は、上下方向に延びるラックギアであり、第２開閉ギア６３１の回転運動を上下方向への直線運動へと変換する。これにより、駆動機４１の回転運動が、第１パネル７１の上下方向への直線運動に変換される。
【０００５】
第２パネル支持部材６８は、第２パネル７２に取り付けられ、第２パネル７２を支持する平坦な板状の部材である。第２パネル支持部材６８は、前後方向に移動可能に設けられており、第２パネル７２を前後方向に移動させることができる。詳細には、第２パネル支持部材６８は、緩やかな円弧を描いて前後方向に移動する。すなわち、第２パネル７２が前方へと移動する場合には、第２パネル７２は、その上端が前傾するように移動し、第２パネル７２が後方へと移動する場合には、第２パネル７２は、前傾していた上端が元に戻り第２パネル７２が上下方向に平行になるように移動する（図１２参照）。第２パネル支持部材６８は、樹脂材料から一体成型されており、第２ギア部６８０と板部６８１とを有している。
【０００６】
上記構成において、室内機２’が運転を停止している状態では、第１パネル７１および第２パネル７２は、吹出し口２６および第１吸込み口２７を閉じており、図１２（ａ）に示すように、第１パネル７１、第２パネル７２および第３パネル７３は、上下方向に平行に側面視において略一直線上に並ぶように配置される。また、第１パネル７１、第２パネル７２および第３パネル７３の表側は略平坦になっている。なお、この状態では、開閉機構６１の第１パネル支持部材６７は、可動範囲の最も下方に位置している。また、第２パネル支持部材６８は、可動範囲の最も後方に位置している。
【０００７】
室内機２’が運転を開始すると、駆動機４１のパネル開閉モータ４３が制御されて回転を始める。そして、駆動機４１の駆動力が動力伝達軸６５に伝達され、駆動力が第１開閉機構６３と第２開閉機構６４とに分配されて伝達される。そして、第１開閉機構６３と第２開閉機構６４とによって、第１パネル７１および第２パネル７２が移動して、吹出し口２６および第１吸込み口２７が開かれる。
【０００８】
このとき、第１開閉機構６３では、駆動力が第１開閉ギア６３０と第２開閉ギア６３１とを介して第１パネル支持部材６７へと伝達される。第２開閉ギア６３１から第１パネル支持部材６７の第１ギア部６７０へと駆動力が伝達される際に、回転運動が上方への直線運動に変換され、第１パネル支持部材６７は、上方へと直線的に移動する。また、第２開閉機構６４においても同じ駆動機４１の駆動力が伝達されて同様の動作が行われる。これにより、図１２（ｂ）に示すように、第１パネル７１は、上下方向上向きに平行移動して吹出し口２６を開く。第１パネル７１が上下方向上向きに移動すると、第１パネル７１の上端が第３パネル７３の後方の隙間に挿入される。第１パネル７１がさらに上方へと移動すると、図１２（ｃ）に示すように、第１パネル７１が、第３パネル７３と前面グリル６０との間の隙間に収容され、第３パネル７３の後方に隠れた状態となる。すなわち、第１パネル７１の略全体が、第３パネル７３に重なった状態となる。
【０００９】
しかしながら、上記構成の場合、第１開閉機構６３（可動パネル）の軸ａがスライドアームｂの軸穴ｃに挿入するように取付けなれているため、第１開閉機構６３（可動パネル）を開いた状態では簡単に軸穴ｃより軸ａが外れてしまうという問題があった。
また、ユーザがフィルタの清掃などのメンテナンス時に第１開閉機構６３（可動パネル）を開閉させた場合、取扱い方によっては軸ａが軸穴ｃに引っ掛かってしまい、軸ａが折れてしまう可能性がある。
【００１０】
【特許文献１】特開２００５−１０６３９５号公報（９〜１０頁、第７、８図）
【発明の開示】
【発明が解決しようとする課題】
【００１１】
本発明は上記の問題点に鑑み、可動パネルの支軸をスライドアームの軸受に固定する保持片を備えたグリルクランパを設けた構成とし、スライドアームを前方に駆動して可動パネルを移動して吸込口を開き、かつ上下方向に回動し開閉した状態でも、可動パネルがグリルクランパから外れないようにした空気調和機を提供することを目的とする。
【課題を解決するための手段】
【００１２】
本発明は上述の課題を解決するため、本体に吸込口と吹出口を設け、これら吸込口と吹出口とを結ぶ空気通路に送風ファンを配設し、前記吸込口の両端側にスライドアームと、同スライドアームを駆動する駆動機構とを設け、前記スライドアームに、同スライドアームの移動に伴ない前記吸込口を開閉する可動パネルを取付けてなる空気調和機において、
前記スライドアームまたは前記可動パネルのいずれか一方に備えた軸受と、他方に備えた支軸とからなる支軸部を設けるとともに、前記軸受側に、同軸受に前記支軸を保持する保持手段を設けてなる構成となっている。
【００１３】
また、前記軸受に、同軸受に連続して形成された支軸挿入口を設けてなる構成となっている。
【発明の効果】
【００１４】
本発明によれば、スライドアームを前方に駆動して吸込口を開いた時、前記可動パネルが前記グリルクランパから外れないようにすることができ、かつ、可動パネルの支軸がスライドスライドアームの軸受に引っ掛かっても支軸が折れないようになされている。また、使用者がグリルクランパの閉め忘れるのを防止することができ、さらに、可動パネルの上下方向の開閉動作を容易にすることができる。
【発明を実施するための最良の形態】
【００１５】
以下、本発明の空気調和機の実施の形態を添付図面に基づいた実施例として詳細に説明する。
図１は本発明における空気調和機の可動パネルを前方に開いたときの外観斜視図である。
図２は本発明における可動パネルを上方に開いたときの斜視図である。
図３は本発明における可動パネル開閉する駆動機構を説明する断面図である。
図４は本発明における可動パネルを閉じたときの断面図である。
図５は本発明における可動パネルを前方に開いたときの断面図である。
図６は本発明における可動パネルを上方に回動して開いたときの断面図である。
図７は本発明における可動パネルを取り外したときの外観斜視図である。
図８は本発明におけるスライドアームにグリルクランパを取付けた斜視図で、（Ａ）はスライドスライドアームを閉じた状態で、（Ｂ）はスライドアームを前方に駆動させた状態である。
図９は本発明におけるグリルクランパの斜視図である。
図１０は本発明における可動パネルにリブを設けた断面図で、（Ａ）はグリルクランパの閉め忘れるのを防止もので、（Ｂ）は閉め忘れを分かるようにしたものである。
【実施例１】
【００１６】
以下、本発明の実施例１を図１乃至図８に基づいて説明する。
図１、図２および図３において、本体１の前面および、または上面に吸込口２ａ，２ｂが設けられ、前面下部に吹出口３が設けられている。これら吸込口２ａ，２ｂと吹出口３とを結ぶ空気通路４に熱交換器５と送風ファン６とを配設し、前記前面の吸込口２ａに、裏面の左右に設けられた後述する駆動機構１０により、前記前面の吸込口２ａを前後および上下方向に開閉自在とする可動パネル８が設けられている。また、前記前面および上面の吸込口２ａ，２ｂに対応する位置に湾曲させてエアフィルタ９が配置されている。
【００１７】
前記駆動機構１０は、図３に示すように、駆動モータ２０、駆動モータ２０の駆動軸２０ａ，第１ギア２１、第２ギア２２、同第２ギア２２に歯合する開閉ラック２３、スライドアーム７を有し、これらのう第２ギア２２およびスライドアーム７を収容する駆動機ケーシング２４から構成されている。
【００１８】
室内機１が運転され駆動モータ２０が作動すると、駆動力が駆動軸２０ａから第１ギア２１を介して第２ギア２２に伝達され、この第２ギア２２の回転力が開閉ラック２３に伝達されて、回転運動が前後方向に動き直線運動に変換され、開閉ラック２３と一体に設けられたスライドアーム７が前方へ移動し、可動パネル８（図示せず）を開く。
また、室内機１の運転停止時には、駆動モータ２０が逆方向に回転するように制御され、スライドアーム７が上記と逆に移動し、可動パネル８が閉じられる。
【００１９】
前記駆動機構１０は、前記可動パネル８の裏面左右にスライドアーを前後に駆動して前記前面の吸込口２ａを、運転を停止した第１の状態において前記可動パネル８を閉じ（図４参照）、運転中である第２の状態において前記可動パネル８を前方に開く（図５参照）ようにした構造となっている。尚、図８（Ａ）にスライドアーム７が閉じた状態（可動パネルを閉じた状態）を、図８（Ｂ）にスライドアーム７が開いた状態（可動パネルを開いた状態）を示す。
【００２０】
また、前記駆動機構１０は、図８（Ａ），（Ｂ）及び図９に示すように、前記スライドアーム７の上部左右に軸受１１と、グリルクランパ１２を収容する図示しないクランパ収容部と，前記グリルクランパ１２の下部に設けられた摺動片１２ｄを収容する図示しない摺動孔とが設けられている。
また、図１０（Ａ）に示すように、前記可動パネル８には、前記軸受１１に対応して、前記可動パネル８を前記スライドアーム７に装着した時に回動自在に軸支される支軸１３が設けられ、前記支軸１３と前記軸受１１により支軸部が形成されている。そして、前記クランパ収容部には、グリルクランパ１２が挿脱可能に取り付けられ、同グリルクランパ１２の後端に備えた保持片１２ａにより前記支軸１３を前記軸受１１に挿脱可能に保持している。
尚、前記軸受１１は図８（Ａ），（Ｂ）に示すように、前記支軸１３が上方から容易に収容できるように、前記軸受１１に連続して形成された軸挿入口１１ａが設けられている。
【００２１】
そして、図９に示すように、前記グリルクランパ１２の裏面に係止片１２ｂを設け、同係止片１２ｂに、前記グリルクランパ１２を支軸保持位置に移動した際、前記クランパ収容部に係止される係止爪１２ｃを設けている。この係止爪１２ｃの先端は略円弧状に形成され、グリルクランパ１２がクランパ収容部に挿入され易くしている。
さらに、前記グリルクランパ１２の裏面には前記摺動孔に摺動され、グリルクランパ１２の保持片１２ａが支軸１３を保持する支軸保持位置に移動した時、これ以上摺動しないように制限すると共に、保持片１２ａが支軸１３を開放する支軸解放位置に移動しても外れないようにするための摺動片１２ｄが設けられている。
これらの構成により、前記可動パネル８は通常の運転または停止状態では、前記スライドアーム７に設けられた係止穴７ａに、可動パネル８の裏面に設けられた爪８ａを係合させて可動パネル８を閉じ（図４、図５参照）、またエアフィルタ９の清掃などのメンテナンス時には、手動で可動パネル８を上方へ回動して開く（図６参照）構造となっている。
【００２２】
上記構成において、前記スライドアーム７を前方に駆動して前記吸込口２ａを開いた時、前記可動パネル８の支軸１３を前記スライドアーム７の軸受１１に固定する保持片１２ａを備えたグリルクランパ１２を設けた構成とすることにより、スライドアーム７を前方に駆動して吸込口２ａを開いた時、前記可動パネル８が前記グリルクランパ１２から外れないようにすることができる。
【００２３】
また、前記グリルクランパ１２の保持片１２ａに、弾性部材を用いてなる構成とすることにより、可動パネル８の支軸１３がスライドアーム７の軸受１１に引っ掛かっても支軸１３が折れないようになっている。
【００２４】
また、図１０（Ａ）に示すように、前記可動パネル８を閉めたとき、同時に前記グリルクランパ１２が閉まるよう、前記可動パネル８の裏面に、前記グリルクランパ１２の下端が当接するリブ１４を設け、前記グリルクランパ１２が上方にスライドするようにした構成とすることにより、使用者がグリルクランパ１２を閉め忘れるのを防止することができる。
【００２５】
また、図１０（Ｂ）に示すように、前記グリルクランパ１２を開いた状態では、前記可動パネル８が閉まらないよう、前記可動パネル８に、前記グリルクランパ１２の下端が当接するリブ１５を設けた構成とすることにより、使用者がグリルクランパ１２を閉め忘れるのを分かるようにすることができる。
【００２６】
また、前記スライドアーム７の軸受１１に、自己潤滑性を有する材料（例えば、ポリアセタール）を用いることにより、メンテナンス時の可動パネル８の上下方向の開閉動作を容易にすることができる。
【００２７】
上記に説明したように、本発明によれば、スライドアーム７を前方に駆動して吸込口２ａを開いた時、前記可動パネル８が前記グリルクランパ１２から外れないようにすることができ、また、可動パネル８の支軸１３がスライドアーム７の軸受１１に引っ掛かっても支軸１３が折れないようにすることができ、また、使用者がグリルクランパ１２を閉め忘れるのを防止または、分かるようにすることができる。
【図面の簡単な説明】
【００２８】
【図１】本発明における空気調和機の外観斜視図である。
【図２】本発明における可動パネルを上方に開いたときの斜視図である。
【図３】本発明における可動パネル開閉する駆動機構を説明する断面図である。
【図４】本発明における可動パネルを閉じたときの断面図である。
【図５】本発明における可動パネルを前方に開いたときの断面図である。
【図６】本発明における可動パネルを上方に回動して開いたときの断面図である。
【図７】本発明における可動パネルを取り外したときの外観斜視図である。
【図８】本発明におけるスライドアームにグリルクランパを取付けた斜視図で、（Ａ）はスライドスライドアームを閉じた状態で、（Ｂ）はスライドアームを前方に駆動させた状態である。
【図９】本発明におけるグリルクランパの斜視図である。
【図１０】本発明における可動パネルにリブを設けた断面図で、（Ａ）はグリルクランパの閉め忘れるのを防止もので、（Ｂ）は閉め忘れを分かるようにしたものである。
【図１１】従来例における空気調和機の室内機の第１開閉機構を示す側面図である。
【図１２】従来例におけるパネルの開閉状態を示す説明図で、（ａ）は閉じた状態、（ｂ）は半開きの状態、（ｃ）は完全に開いた状態である。
【符号の説明】
【００２９】
１  本体
２ａ，２ｂ  吸込口
３  吹出口
４  空気通路
５  熱交換器
６  送風ファン
７  スライドアーム
７ａ  係止穴
８  前面パネル
８ａ  爪
９  エアフィルタ
１０  駆動装置
１１  軸受
１２  グリルクランパ
１２ａ  保持片
１２ｂ  係止片
１２ｃ  係止爪
１２ｄ  摺動片
１３  支軸
１４、１５  リブ
【図１】
2007107728.tif 000003
【図２】
2007107728.tif 000004
【図３】
2007107728.tif 000005
【図４】
2007107728.tif 000006
【図５】
2007107728.tif 000007
【図６】
2007107728.tif 000008
【図７】
2007107728.tif 000009
【図８】
2007107728.tif 000010
【図９】
2007107728.tif 000011
【図１０】
2007107728.tif 000012
【図１１】
2007107728.tif 000013
【図１２】
2007107728.tif 000014